(57)【特許請求の範囲】
【請求項１】
１つのキーに対して、キーの押下時間に対応して２つのキー操作態様を検出するキー操作検出手段と、
少なくとも名前情報を有する電話帳情報を記憶する記憶手段と、
前記２つのキー操作態様のうち、所定時間以上のキー操作態様を前記キー操作検出手段が検出すると、前記記憶手段に記憶された電話帳情報のうち所定の条件を満たす電話帳情報の検索を実行し、
前記２つのキー操作態様のうち、所定時間未満のキー操作態様を前記キー操作検出手段が検出すると、発呼操作に関連する操作を実行する制御手段と、
前記検索された電話帳情報を表示し、前記所定時間以上押下されたキーとは異なるキーが押下されると、前記表示された電話帳情報とは異なり、他の文字から始まる名前情報を有する電話帳情報を表示する表示手段と
を有することを特徴とする移動無線端末。
【請求項２】
第１のキーと第２のキーとの少なくとも２つのキーを有する移動無線端末であって、
前記第１のキー又は前記第２のキーが押下されると、そのキーの押下時間に対応して２つのキー操作態様を検出するキー操作検出手段と、
少なくとも名前情報を有する電話帳情報を記憶する記憶手段と、
前記第１のキー又は前記第２のキーが押下され、前記２つのキー操作態様のうち、所定時間以上のキー操作態様を前記キー操作検出手段が検出すると、前記記憶手段に記憶された電話帳情報のうち所定の条件を満たす電話帳情報の検索を実行し、
前記第１のキー又は前記第２のキーが押下され、前記２つのキー操作態様のうち、所定時間未満のキー操作態様を前記キー操作検出手段が検出すると、発呼操作に関連する操作を実行する第１の制御手段と、
前記検索された電話帳情報を表示する表示手段と、
前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する第２の制御手段と
を有することを特徴とする移動無線端末。
【請求項３】
第１のキーと第２のキーとの少なくとも２つのキーを有する移動無線端末であって、
前記第１のキー又は前記第２のキーが押下されると、そのキーの押下時間に対応して２つのキー操作態様を検出するキー操作検出手段と、
少なくとも名前情報を有する電話帳情報を記憶する記憶手段と、
前記第１のキー又は前記第２のキーが押下され、前記２つのキー操作態様のうち、所定時間以上のキー操作態様を前記キー操作検出手段が検出すると、前記記憶手段に記憶された電話帳情報のうち所定の条件を満たす電話帳情報の検索を実行し、
前記第１のキー又は前記第２のキーが押下され、前記２つのキー操作態様のうち、所定時間未満のキー操作態様を前記キー操作検出手段が検出すると、発呼操作に関連する操作を実行する第１の制御手段と、
前記検索された電話帳情報を表示する表示手段と、
前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する一方、
前記第１のキーが所定時間以上押下されて検索された電話帳情報が前記表示手段に表示された状態で再度前記第１のキーが押下される度に、前記検索された電話帳情報を順に表示するように制御する第２の制御手段と
を有することを特徴とする移動無線端末。
【請求項４】
１つのキーに対して、キーの押下時間に対応して２つのキー操作態様を検出するキー操作検出手段と、
少なくとも名前情報とその名前情報に対応したグループ情報とを有する電話帳情報を記憶する記憶手段と、
前記２つのキー操作態様のうち、所定時間以上のキー操作態様を前記キー操作検出手段が検出すると、前記記憶手段に記憶された電話帳情報のうち同じ前記グループ情報を有する電話帳情報の検索を実行し、
前記２つのキー操作態様のうち、所定時間未満のキー操作態様を前記キー操作検出手段が検出すると、発呼操作に関連する操作を実行する制御手段と、
前記検索された電話帳情報を表示し、前記所定時間以上押下されたキーとは異なるキーが押下されると、前記表示された電話帳情報とは異なり、他の文字から始まる名前情報を有する電話帳情報を表示する表示手段と
を有することを特徴とする移動無線端末。
【請求項５】
第１のキーと第２のキーとの少なくとも２つのキーを有する移動無線端末であって、
前記第１のキー又は前記第２のキーが押下されると、そのキーの押下時間に対応して２つのキー操作態様を検出するキー操作検出手段と、
少なくとも名前情報とその名前情報に対応したグループ情報とを有する電話帳情報を記憶する記憶手段と、
前記第１のキー又は前記第２のキーが押下され、前記２つのキー操作態様のうち、所定時間以上のキー操作態様を前記キー操作検出手段が検出すると、前記記憶手段に記憶された電話帳情報のうち同じ前記グループ情報を有する電話帳情報の検索を実行し、
前記第１のキー又は前記第２のキーが押下され、前記２つのキー操作態様のうち、所定時間未満のキー操作態様を前記キー操作検出手段が検出すると、発呼操作に関連する操作を実行する第１の制御手段と、
前記検索された電話帳情報を表示する表示手段と、
前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する第２の制御手段と
を有することを特徴とする移動無線端末。
【請求項６】
第１のキーと第２のキーとの少なくとも２つのキーを有する移動無線端末であって、
前記第１のキー又は前記第２のキーが押下されると、そのキーの押下時間に対応して２つのキー操作態様を検出するキー操作検出手段と、
少なくとも名前情報とその名前情報に対応したグループ情報とを有する電話帳情報を記憶する記憶手段と、
前記第１のキー又は前記第２のキーが押下され、前記２つのキー操作態様のうち、所定時間以上のキー操作態様を前記キー操作検出手段が検出すると、前記記憶手段に記憶された電話帳情報のうち同じ前記グループ情報を有する電話帳情報の検索を実行し、
前記第１のキー又は前記第２のキーが押下され、前記２つのキー操作態様のうち、所定時間未満のキー操作態様を前記キー操作検出手段が検出すると、発呼操作に関連する操作を実行する第１の制御手段と、
前記検索された電話帳情報を表示する表示手段と、
前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する一方、
前記第１のキーが所定時間以上押下されて検索された電話帳情報が前記表示手段に表示された状態で再度前記第１のキーが押下される度に、前記検索された同じグループ情報を有する電話帳情報を順に表示するように制御する第２の制御手段と
を有することを特徴とする移動無線端末。
【請求項７】
前記記憶手段は、前記名前情報に対応した電話番号情報が含まれており、
前記検索において検索された電話番号情報を用いて発呼する発呼手段を有する
ことを特徴とする請求項１乃至請求項６のいずれかに記載の移動無線端末。
【請求項８】
前記検索は、
前記キーの所定時間以上のキー操作態様のキー操作検索手段の検出によって、前記検索が実行開始された後に、前記キーの操作を前記キー操作検出手段によって検出すると、前記名前情報順に検索する
ことを特徴とする請求項１又は請求項４に記載の移動無線端末。
【請求項９】
前記キーは、数字が記載されており、
前記グループ情報の名称は、押下されたキーに記載された数字の情報を含むものである
ことを特徴とする請求項４又は請求項８に記載の移動無線端末。
【発明の詳細な説明】
【０００１】
本発明は、ＰＨＳ（Personal Handyphone System）移動端末等の移動無線端末に係わり、詳しくは、同一のキーを用いて発呼動作や検索動作等の少なくとも２つの異なる動作モードの設定可能な移動無線端末に関する。
【０００２】
【従来の技術】
例えば、ＰＨＳ（Personal Handyphone System）移動端末等の移動無線端末の中には、できるだけ簡単に相手方に発呼を行うために、クイックダイヤル発呼機能を備えたものが知られている。このクイックダイヤル発呼機能は、クイック・ダイヤル・キー毎にそれぞれ対応する特定の相手先の電話番号を予め登録しておき、該クイック・ダイヤル・キーを押下する操作を行うことによって、当該クイック・ダイヤル・キーに対応して登録されている電話番号に基づき該当する相手先に自動的に発呼が行えるという機能である。
【０００３】
一方、この種の移動無線端末における通常の発呼機能としては、複数の相手先の電話番号を予め登録してある電話帳の中から所望の相手先の電話番号を検索し、該検索された電話番号に基づき当該相手先に発呼する機能が採用されている。この場合の電話帳の検索方法としては、例えば、端末本体上に設けられた検索用のカーソルキーの操作に応じ、上記電話帳に登録されている電話番号を表示部上で順次スクロールさせながら、目的の電話番号を見つけ出す方法がある。
【０００４】
かかる従来の移動無線端末では、クイック・ダイヤル・キーを用いて発呼する場合と、電話帳の中から所望の相手先の電話番号を検索し、該検索された電話番号を用いて発呼する場合とでは、全く異なるキー（クイック・ダイヤル・キー若しくは検索用カーソルキー）の操作を余儀なくされる。この場合、操作するキーの数が増え、発呼時のキー操作が煩雑にならざるを得なかった。
【０００５】
【発明が解決しようとする課題】
このように、上記従来装置では、例えば、クイックダイヤル発呼を行う場合と、電話帳の中から所望の相手先の電話番号を検索した後に発呼を行う場合とでそれぞれ全く異なるキーの操作を余儀なくされるという具合に、動作モードが異なる毎に全く別のキー操作が必要であり、各種動作モードが混在する状況下で該各動作モードを設定する際のキー操作が煩雑化するという問題点があった。
【０００６】
本発明は上記問題点を解消し、同一のキーを用いて異なる動作モードを設定でき、各種動作モードの設定時のキー操作を簡略化できる移動無線端末を提供することを目的とする。
【０００７】
【課題を解決するための手段】
上記目的を達成するために、請求項１記載の発明は、１つのキーに対して、キーの押下時間に対応して２つのキー操作態様を検出するキー操作検出手段と、少なくとも名前情報を有する電話帳情報を記憶する記憶手段と、前記２つのキー操作態様のうち、所定時間以上のキー操作態様を前記キー操作検出手段が検出すると、前記記憶手段に記憶された電話帳情報のうち所定の条件を満たす電話帳情報の検索を実行し、前記２つのキー操作態様のうち、所定時間未満のキー操作態様を前記キー操作検出手段が検出すると、発呼操作に関連する操作を実行する制御手段と、前記検索された電話帳情報を表示し、前記所定時間以上押下されたキーとは異なるキーが押下されると、前記表示された電話帳情報とは異なり、他の文字から始まる名前情報を有する電話帳情報を表示する表示手段とを有することを特徴とする。
【０００８】
請求項２記載の発明は、第１のキーと第２のキーとの少なくとも２つのキーを有する移動無線端末であって、前記第１のキー又は前記第２のキーが押下されると、そのキーの押下時間に対応して２つのキー操作態様を検出するキー操作検出手段と、少なくとも名前情報を有する電話帳情報を記憶する記憶手段と、前記第１のキー又は前記第２のキーが押下され、前記２つのキー操作態様のうち、所定時間以上のキー操作態様を前記キー操作検出手段が検出すると、前記記憶手段に記憶された電話帳情報のうち所定の条件を満たす電話帳情報の検索を実行し、記第１のキー又は前記第２のキーが押下され、前記２つのキー操作態様のうち、所定時間未満のキー操作態様を前記キー操作検出手段が検出すると、発呼操作に関連する操作を実行する第１の制御手段と、前記検索された電話帳情報を表示する表示手段と、前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する第２の制御手段とを有することを特徴とする。
【０００９】
請求項３記載の発明は、第１のキーと第２のキーとの少なくとも２つのキーを有する移動無線端末であって、前記第１のキー又は前記第２のキーが押下されると、そのキーの押下時間に対応して２つのキー操作態様を検出するキー操作検出手段と、少なくとも名前情報を有する電話帳情報を記憶する記憶手段と、前記第１のキー又は前記第２のキーが押下され、前記２つのキー操作態様のうち、所定時間以上のキー操作態様を前記キー操作検出手段が検出すると、前記記憶手段に記憶された電話帳情報のうち所定の条件を満たす電話帳情報の検索を実行し、記第１のキー又は前記第２のキーが押下され、前記２つのキー操作態様のうち、所定時間未満のキー操作態様を前記キー操作検出手段が検出すると、発呼操作に関連する操作を実行する第１の制御手段と、前記検索された電話帳情報を表示する表示手段と、前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する一方、前記第１のキーが所定時間以上押下されて検索された電話帳情報が前記表示手段に表示された状態で再度前記第１のキーが押下される度に、前記検索された電話帳情報を順に表示するように制御する第２の制御手段とを有することを特徴とする。
【００１０】
請求項４記載の発明は、１つのキーに対して、キーの押下時間に対応して２つのキー操作態様を検出するキー操作検出手段と、少なくとも名前情報とその名前情報に対応したグループ情報とを有する電話帳情報を記憶する記憶手段と、前記２つのキー操作態様のうち、所定時間以上のキー操作態様を前記キー操作検出手段が検出すると、前記記憶手段に記憶された電話帳情報のうち同じ前記グループ情報を有する電話帳情報の検索を実行し、前記２つのキー操作態様のうち、所定時間未満のキー操作態様を前記キー操作検出手段が検出すると、発呼操作に関連する操作を実行する制御手段と、前記検索された電話帳情報を表示し、前記所定時間以上押下されたキーとは異なるキーが押下されると、前記表示された電話帳情報とは異なり、他の文字から始まる名前情報を有する電話帳情報を表示する表示手段とを有することを特徴とする。
【００１１】
請求項５記載の発明は、第１のキーと第２のキーとの少なくとも２つのキーを有する移動無線端末であって、前記第１のキー又は前記第２のキーが押下されると、そのキーの押下時間に対応して２つのキー操作態様を検出するキー操作検出手段と、少なくとも名前情報とその名前情報に対応したグループ情報とを有する電話帳情報を記憶する記憶手段と、前記第１のキー又は前記第２のキーが押下され、前記２つのキー操作態様のうち、所定時間以上のキー操作態様を前記キー操作検出手段が検出すると、前記記憶手段に記憶された電話帳情報のうち同じ前記グループ情報を有する電話帳情報の検索を実行し、前記第１のキー又は前記第２のキーが押下され、前記２つのキー操作態様のうち、所定時間未満のキー操作態様を前記キー操作検出手段が検出すると、発呼操作に関連する操作を実行する第１の制御手段と、前記検索された電話帳情報を表示する表示手段と、前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する第２の制御手段とを有することを特徴とする。
【００１２】
請求項６記載の発明は、第１のキーと第２のキーとの少なくとも２つのキーを有する移動無線端末であって、前記第１のキー又は前記第２のキーが押下されると、そのキーの押下時間に対応して２つのキー操作態様を検出するキー操作検出手段と、少なくとも名前情報とその名前情報に対応したグループ情報とを有する電話帳情報を記憶する記憶手段と、前記第１のキー又は前記第２のキーが押下され、前記２つのキー操作態様のうち、所定時間以上のキー操作態様を前記キー操作検出手段が検出すると、前記記憶手段に記憶された電話帳情報のうち同じ前記グループ情報を有する電話帳情報の検索を実行し、前記第１のキー又は前記第２のキーが押下され、前記２つのキー操作態様のうち、所定時間未満のキー操作態様を前記キー操作検出手段が検出すると、発呼操作に関連する操作を実行する第１の制御手段と、前記検索された電話帳情報を表示する表示手段と、前記第１のキーが所定時間以上押下されて検索された電話帳情報が前記表示手段に表示された状態で前記第２のキーが押下されると、前記表示された電話帳情報とは異なり、他の文字から始まる名前情報を有する電話帳情報を表示するように制御する一方、前記第１のキーが所定時間以上押下されて検索された電話帳情報が前記表示手段に表示された状態で再度前記第１のキーが押下される度に、前記検索された同じグループ情報を有する電話帳情報を順に表示するように制御する第２の制御手段とを有することを特徴とする。
【００１３】
請求項７記載の発明は、請求項１乃至請求項６のいずれかに記載の発明において、前記記憶手段は、前記名前情報に対応した電話番号情報が含まれており、前記検索において検索された電話番号情報を用いて発呼する発呼手段を有することを特徴とする。
請求項８記載の発明は、請求項１又は請求項４に記載の発明において、前記検索は、前記キーの所定時間以上のキー操作態様のキー操作検索手段の検出によって、前記検索が実行開始された後に、前記キーの操作を前記キー操作検出手段によって検出すると、前記名前情報順に検索することを特徴とする。
請求項９記載の発明は、請求項４又は請求項８に記載の発明において、前記キーは、数字が記載されており、前記グループ情報の名称は、押下されたキーに記載された数字の情報を含むものであることを特徴とする。
【００２３】
【発明の実施の形態】
以下、本発明の実施の形態について添付図面を参照して詳細に説明する。図１は、本発明に係わるＰＨＳの移動局（ＰＳ）１００の全体構成を示すブロック図である。同図に示すように、この移動局ＰＳは、アンテナ１、無線部２、モデム部３、ＴＤＭＡ部４、通話部５、制御部６、マイクロフォン７、スピーカ８、サウンダ９、操作部１０、表示部１１、メモリ部１２、振動部１３を具備して構成される。
【００２４】
ここで、無線部２は、送信／受信系を時間的に切り換えるスイッチ（ＳＷ）２０１、アンテナ１から受信した無線周波数信号を周波数変換し、増幅して信号成分を取り出してモデム部３に出力する受信部２０２、モデム部３から入力される送信出力信号を搬送波にのせて、アンテナ１から送信する送信部２０３、発信器２０５の発信周波数から所要の周波数を得て受信部２０２及び送信部２０３に与えるシンセサイザ２０４から構成される。
【００２５】
モデム部３は、無線部２の受信部２０２から出力された中間周波数信号を復調して信号成分を取り出しＴＤＭＡ部４に出力する復調部３０１、ＴＤＭＡ部４から出力された送信信号を直交位相変調、例えば、π／４シフトＱＰＳＫ（Ｑｕａｄｒａｔｕｒｅ Ｐｈａｓｅ Ｓｈｉｆｔ Ｋｅｙｉｎｇ）の変調を行って、これを無線部２の送信部２０３に与える変調部３０２から構成される。
【００２６】
ＴＤＭＡ部４は、モデム部３の復調部３０１から出力されるＴＤＭＡ（時分割多元接続）通信方式による信号を、予め割り当てられたタイムスロットから取り出すＴＤＭＡデコード部４０１、通話部５でＰＣＭ変調されて出力された信号を、ＴＤＭＡ（時分割多元接続）通信方式による信号に予め割り当てられたタイムスロットに挿入してモデム部３の変調部３０２に出力するＴＤＭＡエンコード部４０２から構成される。
【００２７】
通話部５は、ＡＤＰＣＭトランスコーダ５０１とＰＣＭコーディック５０２とから構成され、制御部６の制御のもとに、マイクロフォン７からの音声信号をＴＤＭＡ部４に与え、また、ＴＤＭＡ部４からの復調されたＰＣＭ信号を音声信号に変換してスピーカ８に与えるものである。
【００２８】
制御部６は、送受信に必要な各種制御の他に、各構成要素の制御を司るものである。本発明の実施の形態において、制御部６には、キー操作態様検出部６０１、動作モード設定制御部６０２、発呼動作制御部６０３、検索動作制御部６０４が設けられる。
【００２９】
キー操作態様検出部６０１は、操作部１０に設けられる後述するクイック・ダイヤル・キーＰ１，Ｐ２，Ｐ３が規定時間内押下されたか、規定時間を超えて押下されたかについての２つのキー操作態様を各キー毎に検出するものである。
【００３０】
動作モード設定制御部６０２は、クイック・ダイヤル・キーＰ１，Ｐ２，Ｐ３が規定時間内押下されたか、規定時間を超えて押下されたかによって、当該押下された１つのキー毎に後述するクイックダイヤル発呼モードまたはグループ別電話帳検索モードを選択的に設定する制御を行うものである。
【００３１】
発呼動作制御部６０３は、動作モード設定制御部６０２により設定されるクイックダイヤル発呼モードにおける発呼の制御、及びグループ別電話帳検索モードによる電話帳検索後の発呼の制御を行うものである。
【００３２】
検索動作制御部６０４は、動作モード設定制御部６０２により設定される上記グループ別電話帳検索モードにおける検索動作の制御を行うものである。
【００３３】
マイクロフォン７は、送話音声信号を入力する送話器として機能するものであり、スピーカ８は、入力した受話音声信号を音声として発音する受話器として機能するものである。サウンダ９は、着信等をメロディなどによってユーザに報知するものである。
【００３４】
操作部１０は、複数の機能キー及びテンキー等を有し各種情報を入力するものである。本実施の形態において、後述するクイック・ダイヤル・キーＰ１，Ｐ２，Ｐ３、通話キー、リダイヤルキー、終話キー等もこの操作部１０に含まれる。
【００３５】
表示部１１は、各種情報を表示する液晶ディスプレイ等（ＬＣＤ）から構成される。メモリ部１２は、暗証番号や電話番号情報等、移動局ＰＳの動作に必要な各種情報を記憶するものである。特に、本実施の形態において、このメモリ部１２は、クイック・ダイヤル・キーＰ１，Ｐ２，Ｐ３のキー操作態様に応じて設定されるクイックダイヤル発呼モードまたはグループ別電話帳検索モードに対処するために、これら各キーに対応するワンタッチダイヤル情報及びグループ別電話帳の記憶手段としても利用される。
【００３６】
振動部１３は、着信等を振動でユーザに報知するためのバイブレータ機能を有するものである。
【００３７】
次に、図２は、この移動局ＰＳの外観構造を示す図である。同図に示すように、移動局本体部１００ａの上面の構成要素して、ＬＣＤ１１ａ、通話キー１０ａ、リダイヤルキー１０ｂ、終話キー１０ｃ、クイック・ダイヤル・キーＰ１（１０ｄ），Ｐ２（１０ｅ），Ｐ３（１０ｆ）及びフリッパ１００ｂが備わる。
【００３８】
フリッパ１００ｂは、蓋状の形状を成し、移動局本体部１００ａに対して開閉可能に設けられる。上記クイック・ダイヤル・キーＰ１（１０ｄ），Ｐ２（１０ｅ），Ｐ３（１０ｆ）は、フリッパ１００ｂが閉じられている状態のまま操作できるように当該プリッパ１００ｂの上面に露出して形成されている。また、このフリッパ１００ｂを開けた時、移動局本体部１００ａ側に設けられているテンキー等の各種機能キーを操作できるようになっている。
【００３９】
この移動局ＰＳにおいて、クイック・ダイヤル・キーＰ１，Ｐ２，Ｐ３は、クイックダイヤル発呼を行うためのキーと、グループ別電話帳の検索を開始させるためのキーとに兼用される。特に、本実施の形態では、前者のキー機能を利用する場合は当該クイック・ダイヤル・キーＰ１，Ｐ２，Ｐ３を規定時間内だけ押下し、後者の機能キーを利用する場合は当該クイック・ダイヤル・キーＰ１，Ｐ２，Ｐ３を上記規定時間を超えて押下すれば良い。
【００４０】
上記クイック・ダイヤル・キーＰ１，Ｐ２，Ｐ３が押下されると、制御部６は、その押下時間が規定時間内か規定時間を超えているかを監視し、規定時間内であればクイックダイヤル発呼モードを設定し、規定時間を超えていればグループ別電話帳検索モードを設定する。
【００４１】
クイックダイヤル発呼モードでは、クイック・ダイヤル・キーＰ１，Ｐ２，Ｐ３の各キー対応に登録されたクイックダイヤルを用いて発呼を行い、他方、グループ別電話帳検索モードでは上記各キー毎に登録されている電話帳の検索を行う。なお、このグループ別電話帳検索モードの終了後、当該モードで検索されたダイヤル情報（電話番号）を用いて発呼できるようになっている。
【００４２】
上記クイック・ダイヤル・キーＰ１，Ｐ２，Ｐ３の押下時間に応じたクイックダイヤル発呼モードまたはグループ別電話帳検索モードの設定制御に対処すべく、当該クイック・ダイヤル・キーＰ１，Ｐ２，Ｐ３の各キーに対応してクイックダイヤル及び電話帳が予め登録されている。
【００４３】
図３は、クイック・ダイヤル・キーＰ１，Ｐ２，Ｐ３の各キーに対応する情報の登録形態の一例を示すものである。同図（ａ）は、キー対応情報テーブル１２ａの内容を示し、クイック・ダイヤル・キーＰ１，Ｐ２，Ｐ３の各キーに対応する情報として、クイックダイヤル発呼に用いるためのクイック・ダイヤルとグループ別電話帳検索モードで検索対象となる電話帳のグループ区分が登録されている。この例では、クイック・ダイヤル・キーＰ１に対応してクイックダイヤル１及びグループ１が登録される。同様に、クイック・ダイヤル・キーＰ２に対応してクイックダイヤル２及びグループ２が登録され、クイック・ダイヤル・キーＰ３に対応してクイックダイヤル３及びグループ３が登録される。
【００４４】
また、同図（ｂ）はグループ別電話帳テーブル１２ｂの内容を示し、同図（ａ）における各グループ１，２，３の電話帳の内容（グループ構成者の電話番号）が登録されている。この例において、グループ１は会社関係の電話帳であり、グループ２は友人関係の電話帳であり、グループ３は趣味仲間関係の電話帳である。上記キー対応情報テーブル１２ａ及びグループ別電話帳テーブル１２ｂは、例えばメモリ部１２内に設けることができる。
【００４５】
以下、本実施の形態に係わる移動局ＰＳにおける待ち受け動作からのキー入力受付処理動作の一例を図４に示すフローチャートを参照して説明する。この移動局ＰＳが待ち受け動作を行っている時、制御部６内のキー操作態様検出部６０１は、操作部１０においてキーが押下されたか否かを監視している（ステップ４０１）。
【００４６】
ここで、キーが押下された場合（ステップ４０１ＹＥＳ）、キー操作態様検出部６０１は、その押下されたキーがクイック・ダイヤル・キーＰ１，Ｐ２，Ｐ３のうちのＰ１キーであるか、Ｐ２キーであるか、Ｐ３キーであるかを判定する（ステップ４０２、ステップ４１０、ステップ４２０）。
【００４７】
押下されたキーがＰ１キーである時（ステップ４０２ＹＥＳ）、制御部６は、当該Ｐ１キーに対応して登録されているクイックダイヤル１をメモリ部１２のキー対応情報テーブル１２ａ〔図３（ａ）参照〕から読み出し、これをＬＣＤ１１ａに表示する（ステップ４０３）。
【００４８】
これと同時に、キー操作態様検出部６０１は、キー押下タイマＴのカウントを開始する（ステップ４０４）。次に、キー操作態様検出部６０１は、キーの押下が終了したかどうかを監視し（ステップ４０５）、キーが押下されている間（ステップ４０５ＮＯ）は、上記キー押下タイマＴのカウントを継続する。この間、キー押下が終了した場合（ステップ４０５ＹＥＳ）、次にキー操作態様検出部６０１は、その時点のキー押下タイマＴのカウント値を基にキー押下時間が例えば２秒以上であるか否かを判定する（ステップ４０６）。
【００４９】
そして、この判定結果を基に、動作モード設定制御部６０２は、キー押下時間が２秒より短い場合（ステップ４０６ＮＯ）、クイックダイヤル発呼モードを設定し（ステップ４０７）、他方、キー押下時間が２秒以上であれば（ステップ４０６ＹＥＳ）、グループ別電話帳検索モードを設定する（ステップ４０８）。
【００５０】
同様に、押下されたキーがＰ２キーである時（ステップ４１０ＹＥＳ）、制御部６は、当該Ｐ２キーに対応して登録されているクイックダイヤル２をメモリ部１２のキー対応情報テーブル１２ａから読み出し、これをＬＣＤ１１ａに表示する（ステップ４１１）。
【００５１】
これと同時に、キー操作態様検出部６０１は、キー押タイマＴのカウントを開始する（ステップ４１２）。次に、キー操作態様検出部６０１は、キーの押下が終了したかどうかを監視し（ステップ４１３）、キーが押下されている間（ステップ４１３ＮＯ）は、上記キー押下タイマＴのカウントを継続する。この間、キー押下が終了した場合（ステップ４１３ＹＥＳ）、次にキー操作態様検出部６０１は、キー押下タイマＴのカウント値を基にキー押下時間が例えば２秒以上であるかどうかを判定する（ステップ４１４）。
【００５２】
そして、この判定結果を基に、動作モード設定制御部６０２は、キー押下時間が２秒より短い場合（ステップ４１４ＮＯ）は、クイックダイヤル発呼モードを設定し（ステップ４１５）、他方、キー押下時間が２秒以上であれば（ステップ４１４ＹＥＳ）、グループ別電話帳検索モードを設定する（ステップ４１６）。
【００５３】
更に、押下されたキーがＰ３キーである時（ステップ４２０ＹＥＳ）、制御部６は、当該Ｐ３キーに対応して登録されているクイックダイヤル３をメモリ部１２のキー対応情報テーブル１２ａから読み出し、これをＬＣＤ１１ａに表示する（ステップ４２１）。
【００５４】
これと同時に、キー操作態様検出部６０１は、キー押下タイマＴのカウントを開始する（ステップ４２２）。次に、キー操作態様検出部６０１は、キーの押下が終了したかどうかを監視し（ステップ４２３）、キーが押下されている間（ステップ４２３ＮＯ）は、上記キー押下タイマＴのカウントを継続する。この間、キー押下が終了した場合（ステップ４２３ＹＥＳ）、次にキー操作態様検出部６０１は、キー押下タイマＴのカウント値を基に、キー押下時間が例えば２秒以上であるかどうかを判定する（ステップ４２４）。
【００５５】
そして、この判定結果を基に、動作モード設定制御部６０２は、キー押下時間が２秒より短い場合（ステップ４２４ＮＯ）は、クイックダイヤル発呼モードを設定し（ステップ４２５）、他方、キー押下時間が２秒以上であれば（ステップ４２４ＹＥＳ）、グループ別電話帳検索モードを設定する（ステップ４２６）。
【００５６】
次に、動作モード設定制御部６０２により設定された動作モードのうち、クイックダイヤル発呼モードの処理動作について図５に示すフローチャートを参照して説明する。クイックキーＰ１，Ｐ２，Ｐ３のいずれかの押下によりクイックダイヤル発呼モードが設定された場合（図４におけるステップ４０７、ステップ４１５、ステップ４２５）、次に、キー操作態様検出部６０１は、操作部１０における各種機能キーの中の通話キー１０ａ〔図２参照〕が押下されたか否かを監視する（ステップ５０１）。ここで、通話キー１０ａが押下された場合（ステップ５０１ＹＥＳ）、発呼動作制御部６０３が、現在ＬＣＤ１１ａに表示されているクイックダイヤル情報に基づき発呼動作を行い（ステップ５０２）、この発呼動作により相手先と接続後、通話動作に移行する（ステップ５０３）。
【００５７】
図６は、上記クイックダイヤル発呼時におけるＬＣＤ１１ａ上での情報表示態様の遷移を示す図である。同図に示すように、待ち受け状態（表示６１）からＰ１キーを押下することにより、当該Ｐ１キーに対応して登録されているクイックダイヤル１が読み出されて表示される（表示６２）。この後、通話キー１０ａを押下すると、当該クイックダイヤル１に基づき発呼がなされ、これと同時に当該発呼動作を示す状態表示（表示６３）がなされる。この発呼に対して相手先が応答した後、通話に移行し、その状態表示（表示６４）が行われる。なお、この例では、Ｐ１キー押下後、クイックダイヤル１の登録が無い場合、登録無しを示すメッセージが表示（表示６５）され、２秒経過後、待ち受けを示す状態表示（表示６６）がなされる。待ち受け状態からＰ２キーあるいはＰ３キーを押下した場合も上記と同様の表示制御で遷移する。
【００５８】
このように、本実施の形態の移動局ＰＳでは、クイック・ダイヤル・キーＰ１，Ｐ２，Ｐ３のいずれかが押下されると、その押下時間が予め設定された時間（この例では、２秒）より短いことを条件に、クイック・ダイヤル・キーＰ１，Ｐ２，Ｐ３のうちの当該押下されたキーに対応して登録されているクイックダイヤル情報に基づき発呼動作が行われる。つまり、これら各クイック・ダイヤル・キーＰ１，Ｐ２，Ｐ３は、例えば２秒という時間を超えない範囲の短押しによって本来のクイック・ダイヤル・キーとして機能する。
【００５９】
次に、動作モード設定制御部６０２により設定されたモードのうち、グループ別電話帳検索モードの処理動作について図７に示すフローチャートを参照して説明する。上記クイックキーＰ１，Ｐ２，Ｐ３のいずれかの押下によりグループ別電話帳検索モードが設定された場合（図４におけるステップ４０８、ステップ４１６、ステップ４２６）、制御部６内の検索動作制御部６０４は、まず、このグループ別電話帳検索モードを設定する際に押下されたクイックキーＰ１，Ｐ２，Ｐ３のうちのいずれかのキーに対応する電話帳のグループ区分を特定する（ステップ７０１）。
【００６０】
この場合、メモリ部１２内のキー対応情報テーブル１２ａ〔図３（ａ）参照〕を参照し、例えば、Ｐ１キーが押下されたならば、該Ｐ１キーに対応して登録されているグループ１を検索対象として特定する。同様に、Ｐ２キーが押下された場合、該Ｐ２キーに対応して登録されているグループ２を、また、Ｐ３キーが押下された場合、該Ｐ３キーに対応して登録されているグループ３を、それぞれ検索対象として特定する。
【００６１】
引き続き、キー操作態様検出部６０１は、操作部１０においてキーが押下されたか否かを監視する（ステップ７０２）。ここで、キーが押されたことが認識された場合（ステップ７０２ＹＥＳ）、キー操作態様検出部６０１は、その押下されたキーがクイック・ダイヤル・キーＰ１，Ｐ２，Ｐ３のうちのＰ１キーであるか、Ｐ２キーであるか、Ｐ３キーであるかを判定する（ステップ７０３、ステップ７１０、ステップ７２０）。
【００６２】
押下されたキーがＰ１キーである時（ステップ７０２ＹＥＳ）、検索動作制御部６０４は、メモリ部１２内のグループ別電話帳テーブル１２ｂにアクセスし、ステップ７０１にて特定したグループ１の電話帳（会社関係）の中から電話番号を１項目ずつ順方向に検索し（ステップ７０４）、該検索された電話番号を上記グループ別電話帳テーブル１２ｂから読み出してＬＣＤ１１ａに表示する（ステップ７０５）。
【００６３】
その後、キー操作態様検出部６０１は、操作部１０における各種機能キーの中の通話キー１０ａが押下されたか否かを監視する（ステップ７０６）。ここで、通話キー１０ａが押下されない場合（ステップ７０６ＮＯ）、ステップ７０２以降の処理に戻り、次のクイック・ダイヤル・キーの押下の監視を続行する。そして、クイックキーＰ１，Ｐ２，Ｐ３のうち、Ｐ１キーが押下される毎に、ステップ７０１で特定したグループ１の電話帳の電話番号を１項目ずつ順検索し、これをＬＣＤ１１ａに表示し、確認しながら検索を続けていく。
【００６４】
この間、例えば、Ｐ３キーが押下された場合（ステップ７１０ＹＥＳ）、検索動作制御部６０４は、ステップ７０１にて特定したグループ１の電話帳に対してそれまで順検索を行っていたものを、これ以降、逆の順番に電話番号を１項目ずつ検索し（ステップ７１１）、該検索された電話番号をグループ別電話帳テーブル１２ｂから読み出してＬＣＤ１１ａに表示する（ステップ７０５）。
【００６５】
一方、Ｐ２キーが押下された場合（ステップ７２０ＹＥＳ）、検索動作制御部６０４は、ステップ７０１にて特定したグループ１の電話帳の各電話番号についてそれまで１項目ずつ検索していたものを、これ以降、例えばア行からカ行へというように複数項目の飛ばし検索を行い（ステップ７２１）、当該検索された電話番号を上記グループ別電話帳テーブル１２ｂから読み出してＬＣＤ１１ａに表示する（ステップ７０５）。
【００６６】
上述の如くの、クイック・ダイヤル・キーＰ１，Ｐ２，Ｐ３による順検索、逆順検索あるいは複数項目飛ばし検索の後、キー操作態様検出部６０１にて通話キー１０ａが押下された場合（ステップ７０６ＹＥＳ）、制御部６内の発呼動作制御部６０３は、上記グループ別電話帳の検索結果として現在ＬＣＤ１１ａに表示されている電話番号に基づき発呼動作を行い（ステップ７０７）、相手先と接続後、通話動作に移行する（ステップ７０８）。
【００６７】
以上の処理は、クイック・ダイヤル・キーＰ１の押下により、グループ１の電話帳（会社関係）を検索しかつその検索により得られた電話番号に基づき発呼する場合の例であるが、同様の処理によって、クイック・ダイヤル・キーＰ２の押下により、グループ２の電話帳（友人関係）の検索とこれにより検索された電話番号の発呼制御を行うことができ、更に、クイック・ダイヤル・キーＰ３の押下により、グループ３の電話帳（趣味仲間関係）の検索とこれにより検索された電話番号の発呼制御を行うことができる。
【００６８】
図８は、上記グループ別電話帳検索時におけるＬＣＤ１１ａ上での情報表示態様の遷移を示す図である。同図に示すように、待ち受け状態（表示８１）においてＰ１キーが長押しされることにより、当該Ｐ１キーに対応して登録されているグループ１の電話帳の中から１つの電話番号が読み出されて表示（表示８２）される。この後、続けてＰ１キーを押下すると、上記電話帳内の電話番号が名前順に１項目ずつ検索されて表示（表示８３，８４）される。また、この検索途中でＰ３キーを押下すると、上記電話帳内の電話番号が上記Ｐ１押下時とは逆の順番で１項目ずつ検索されて表示（表示８５）される。更に、その状態から、Ｐ２キーを押下すると、その直前までなされていた例えばカ行の電話番号の検索から行を１つ飛ばしたサ行の電話番号の検索へと移行し、これにより検索された電話番号が表示（表示８６）される。待ち受け状態からＰ２キーあるいはＰ３キーが長押しされた場合（表示８７，８８）も、同様の表示制御で遷移する。また、電話帳には１つの名称に対して２つの電話番号（例えば、自宅の電話番号とＰＨＳの電話番号）を登録することが可能であり、２つの電話番号が記憶されている場合は、所定キーの押下により上記２つの番号の表示切り換えが可能となる（表示８９）。
【００６９】
上述の如く、この移動局ＰＳでは、クイック・ダイヤル・キーＰ１，Ｐ２，Ｐ３のいずれかが押下されると、その押下時間が予め設定された時間（この例では、２秒）より長いことを条件に、クイック・ダイヤル・キーＰ１，Ｐ２，Ｐ３のうちの当該押下されたキーに対応する例えば「会社関係」、「友人関係」、「趣味仲間関係」等の各グループ別電話帳の検索モードに移行できる。そして、グループ別電話帳検索モードに移行後は、例えば、Ｐ１キーは順検索キーとして用い、Ｐ３キーは逆検索キーとして用い、更にはＰ２キーは複数項目飛ばし検索キーとして用いることにより、当該各グループ別の電話帳の検索を行うことができる。更に、当該検索モードの終了後は、通話キー１０ａを押下することにより、その時点までに検索されている電話番号を基に発呼を行うことができる。
【００７０】
つまり、クイック・ダイヤル・キーＰ１，Ｐ２，Ｐ３は、例えば２秒という時間を超えない範囲の短押しによって本来のクイック・ダイヤル・キーとして機能する他、２秒を超える時間の長押しにより、当該押下された各キーに対応するグループ別電話帳の検索を開始させる検索キーとしての機能も兼ねている。これにより、電話帳の中から所望の電話番号を検索して発呼する場合も、単にクイック・ダイヤル・キーＰ１，Ｐ２，Ｐ３をクイック発呼時より長めに押下するだけで検索を開始でき、更に、この検索の後は、クイックダイヤル発呼時と同様に通話キー１０ａを押下するだけで発呼できる。従って、発呼に関しては、クイックダイヤル発呼か電話帳検索後の発呼かに拘わらず、同一のキー（ワンタッチダイヤルキー）の操作で対処でき、円滑な発呼操作が期待できる。
【００７１】
なお、上記実施の形態では、同一のキー（クイック・ダイヤル・キー）に２つの動作モードの開始キーとしての意味付けを与える場合に、キーの押下時間の長短を監視しているが、例えば、同一のキーの押下回数を監視し、１回押されたか複数回押下されたかに応じて上記各動作モードの意味付けを行うようにしても良い。また、クイック・ダイヤル・キー長押し後の検索モードとしては、グループ別電話帳を検索するモードの例をあげているが、この検索モードも、各種ジャンルの情報項目を対象としたジャンル別情報検索モード等であっても良い。更に、同一のキーを用いて設定可能な動作モードの例として、発呼モードと検索モードとの関係をあげたが、これに限らず、他の様々な動作モード間にも適用できる。
【００７２】
また、本発明はＰＨＳに限定されるものではなく、他の移動無線端末、例えばＰＤＣ（Personal Digital Cellular）やページャ（Pager）などにも適用できることは言うまでもない。
【００７３】
【発明の効果】
以上説明したように、本発明によれば、２つのキー操作態様のうち、所定時間以上のキー操作態様が検出されると、記憶手段に記憶された電話帳情報の検索を実行し、所定時間未満のキー操作態様が検出されると、発呼操作に関する操作を実行するため、１つのキーに対応して発呼動作と、電話帳を検索しその検索された電話番号を用いて発呼する動作とを１つのキーの異なるキー操作態様によって実行でき、発呼用のキーと、電話帳からの電話番号の検索を経た後に発呼する際の検索用のキーとを設けそれぞれを独立に操作して発呼する場合に比べ、発呼時のキー操作性を大幅に向上させることができる。
【００７４】
また、本発明によれば、２つのキー操作態様のうち、所定時間以上のキー操作態様が検出されると、記憶手段に記憶された電話帳情報のうち所定の条件を満たす電話帳情報の検索を実行し、該検索された電話帳情報を表示している状態で、所定時間以上押下されたキーとは異なるキーが押下されると、表示された電話帳情報とは異なり、他の文字から始まる名前情報を有する電話帳情報を表示する機能を有するため、検索された電話帳情報を表示している状態で、所定時間以上押下されたキーとは異なるキーを適宜押下することで、現在表示されている電話帳情報とは異なり、他の文字から始まる名前情報を有する電話帳情報の検索に迅速に移行できる。
また、本発明によれば、２つのキー操作態様のうち、所定時間以上のキー操作態様が検出されると、記憶手段に記憶された電話帳情報のうち同じグループ情報を有する電話帳情報の検索を実行し、該検索された電話帳情報を表示している状態で、所定時間以上押下されたキーとは異なるキーが押下されると、表示された電話帳情報とは異なり、他の文字から始まる名前情報を有する電話帳情報を表示する機能を有するため、検索された電話帳情報の表示中、所定時間以上押下されたキーとは異なるキーを適宜押下することで、同じグループ内の現在表示されている電話帳情報とは異なる他の文字から始まる名前情報を有する電話帳情報の検索に迅速に移行できる。
【図面の簡単な説明】
【図１】本発明に係わるＰＨＳの移動局の一実施の形態を示すブロック図。
【図２】本実施の形態に係わる移動局の外観構成を示す概略図。
【図３】本実施の形態に係わる移動局のキー対応情報の記憶形態を示す図。
【図４】本実施の形態に係わる移動局のキー入力受付処理動作を示すフローチャート。
【図５】図４におけるクイックダイヤル発呼モードの処理動作を示すフローチャート。
【図６】図４におけるグループ別電話帳検索モードの処理動作を示すフローチャート。
【図７】図５におけるクイックダイヤル発呼モードでの情報表示態様の遷移図。
【図８】図６におけるグループ別電話帳検索モードでの情報表示態様の遷移図。
【符号の説明】
１００  移動局（ＰＳ）
１００ａ  移動局本体部
１００ｂ  フリッパ
１  アンテナ
２  無線部
２０１  スイッチ（ＳＷ）
２０２  受信部
２０３  送信部
２０４  シンセサイザ
２０５  発信器
３  モデム部
３０１  復調部
３０２  変調部
４  ＴＤＭＡ部
４０１  ＴＤＭＡデコード部
４０２  ＴＤＭＡエンコード部
５  通話部
５０１  ＡＤＰＣＭトランスコーダ
５０２  ＰＣＭコーディック
６  制御部
６０１  キー操作態様検出部
６０２  動作モード設定制御部
６０３  発呼動作制御部
６０４  検索動作制御部
７  マイクロフォン
８  スピーカ
９  サウンダ
１０  操作部
１０ａ  通話キー
１０ｂ  リダイヤルキー
１０ｃ  終話キー
１０ｄ  クイック・ダイヤル・キーＰ１
１０ｅ  クイック・ダイヤル・キーＰ２
１０ｆ  クイック・ダイヤル・キーＰ３
１１  表示部
１１ａ  ＬＣＤ（液晶表示器）
１２  メモリ部
１３  振動部
【図１】
0003842405.tif 000002
【図２】
0003842405.tif 000003
【図３】
0003842405.tif 000004
【図４】
0003842405.tif 000005
【図５】
0003842405.tif 000006
【図６】
0003842405.tif 000007
【図７】
0003842405.tif 000008
【図８】
0003842405.tif 000009